(57)【要約】【課題】回転部材が釣人の意思とは係りなく逆回転することを防止し、必要な場合には回転部材を逆転可能状態とすることが容易な切換部材を備えた魚釣用リールの逆転防止装置を提供すること。【解決手段】リール本体１２に回転可能に支持されたロータ１６の釣糸巻取方向の正回転を許容しかつ釣糸繰出方向の逆回転を阻止する逆転防止位置と、ロータ１６の正回転と逆回転との双方を許容する逆転可能位置とに切換え可能な切換レバー５６を備えた魚釣用リールの逆転防止装置４６であって、切換レバー５６が逆転防止位置にあるときに、この切換レバー５６の逆転可能位置への切換動作を阻止する係止爪７４を設け、この係止爪７４による切換阻止機能を手動操作でのみ解除可能とした逆転防止装置。【選択図】      図１
2007143418.tif 000002
【特許請求の範囲】
【請求項１】
リール本体に回転可能に支持された回転部材の釣糸巻取方向の正回転を許容しかつ釣糸繰出方向の逆回転を阻止する逆転防止位置と、前記回転部材の正回転と逆回転との双方を許容する逆転可能位置とに切換え可能な切換部材を備えた魚釣用リールの逆転防止装置であって、
前記切換部材が逆転防止位置にあるときに、この切換部材の逆転可能位置への切換動作を阻止する阻止手段を設け、この阻止手段による切換阻止機能を手動操作でのみ解除可能としたことを特徴とする魚釣用リールの逆転防止装置。
【発明の詳細な説明】
【技術分野】
【０００１】
本発明は、魚釣用リールのリール本体に回転可能に支持された回転部材が、釣糸繰出方向に逆回転するのを防止する逆転防止装置に関する。
【背景技術】
【０００２】
従来、このような魚釣用リールの逆転防止装置には、例えばスピニングリールのロータ等の回転部材を、魚釣り状況にあわせて釣糸巻取方向の正回転を許容しかつ釣糸繰出方向の逆回転を阻止する逆転防止状態と、釣糸巻取方向の正回転と釣糸繰出方向の逆回転を許容する逆転可能状態とに選択的に切換えることを可能としたものがある。このような回転部材の逆転防止状態と逆転可能状態との切換えは、釣人が操作し易い位置に設けられた切換部材を逆転防止位置と逆転可能位置とに切換えることにより行われる（例えば特許文献１参照）。
【０００３】
通常の実釣中（特別の魚種を対象とした釣りを除く）には、釣竿にセットした魚釣用リールは、逆転防止装置の切換部材を逆転防止位置に切換えておくのが一般的であり、釣糸の繰出し長さを微調整する等の必要が生じた場合に、切換部材を逆転可能位置に切換えて回転部材を釣糸繰出方向への逆回転を許容して、ハンドルを正回転および逆回転の双方の方向に必要なだけ回転しつつ最適の釣糸繰出し長さとすることが行われている。
【０００４】
また、魚釣用リールを単独であるいは釣竿にセットした状態で移動あるいは搬送する場合にも、このような逆転防止装置の切換部材は逆転防止位置に切換えられる。これにより、移動あるいは輸送中に魚釣用リールから釣糸が繰出され、糸絡みが生じるのを防止している。特に、複数の魚釣用リールをまとめて移送する場合には、切換部材を逆転防止位置に切換えておくことで、それぞれの魚釣用リールから釣糸が繰出されて互いに複雑に絡まりあうのが防止される。
【特許文献１】特開昭５４−１４１２８５号公報
【発明の開示】
【発明が解決しようとする課題】
【０００５】
しかし、従来の魚釣用リールの逆転防止装置では、切換部材は釣人が操作し易い位置に配置されているため、例えば釣り場を移動する際に、釣人の手、脚あるいは衣服等が触れることで、切換部材が逆転可能位置に切換ったり、輸送時の振動や他の物体との接触等で切換部材が切換わることがある。
【０００６】
特に、魚釣用リールの輸送は、他の魚釣用リールあるいは釣竿等の種々の釣具と共に容器等に収容した状態で行うのが一般的であるため、このような容器内で釣糸が魚釣用リールから繰出されると他の釣具と共に極めて複雑に釣糸が絡みあう虞がある。
【０００７】
また、実釣中に切換部材が不意に逆転可能位置に切換わると、スプールから釣糸が解けてハンドルやロータに絡まるだけでなく、魚の引きあるいは仕掛けの負荷等により、ロータ等の回転部材およびこれに連動するハンドルが急激に逆回転する虞がある。特に、ハンドルが釣人の意思とは係りなく急激に逆回転すると、釣人が思わぬ怪我をする虞がある。
【０００８】
本発明は、このような事情に基づいてなされたもので、実釣時に回転部材が釣人の意思とは係りなく逆回転することを防止し、必要な場合には回転部材を逆転可能状態とすることが容易な切換部材を備えた魚釣用リールの逆転防止装置を提供することを目的とする。
【課題を解決するための手段】
【０００９】
上記目的を達成する本発明の魚釣用リールの逆転防止装置は、リール本体に回転可能に支持された回転部材の釣糸巻取方向の正回転を許容しかつ釣糸繰出方向の逆回転を阻止する逆転防止位置と、前記回転部材の正回転と逆回転との双方を許容する逆転可能位置とに切換え可能な切換部材を備えた魚釣用リールの逆転防止装置であって、前記切換部材が逆転防止位置にあるときに、この切換部材の逆転可能位置への切換動作を阻止する阻止手段を設け、この阻止手段による切換阻止機能を手動操作でのみ解除可能としたことを特徴とする。
【発明の効果】
【００１０】
本発明の魚釣用リールの逆転防止装置によると、回転部材を逆回転させて釣糸を繰出すためには、切換部材の切換動作を阻止している阻止手段の切換阻止機能を手動で解除する必要があり、これにより、回転部材が意に反して逆回転することが確実に防止され、逆回転が必要な場合にのみ、回転部材を逆転可能状態とすることができ、魚釣用リールの安全性と操作容易性とが確保される。
【発明を実施するための最良の形態】
【００１１】
図１は、本発明の好ましい実施形態による逆転防止装置を備えた魚釣用リールの全体を概略的に示す。  
本実施形態の魚釣用リールは、スピニングリール１０として形成してあり、種々の部材を収容する収容空間Ａを形成したリール本体１２を備える。このリール本体１２は、前部に鍔部１２ａを有し、上方に延びる脚部１４の端部に形成された竿取付部１４ａを介して釣竿に取付けられる。このリール本体１２の前方には、回転部材であるロータ１６と、ロータ１６の回転運動に同期して前後動可能なスプール１８とが設けられており、鍔部１２ａが、ロータ１６の後方に開口する開口部内に収容される。
【００１２】
このリール本体１２の収容空間Ａ内には、横方向に延設されて回転可能に支持されたハンドル軸２０と、ロータ１６を回転し、スプール１８に釣糸を巻回するための巻取駆動装置２２と、このスプール１８を前後に往復動させるスプール往復動装置２４とが設けられる。このリール本体１２から突出したハンドル軸２０の端部にはハンドル２６が取り付けられており、このハンドル２６を回転することにより、巻取駆動装置２２とスプール往復動装置２４とが連動して駆動される。
【００１３】
巻取駆動装置２２は、リール本体１２の収容空間Ａ内でハンドル軸２０に固定された駆動歯車２８と、この駆動歯車２８に噛合するピニオンギヤ３０とを備える。このピニオンギヤ３０は、ハンドル軸２０に対して直交する前後方向に延びかつリール本体１２に対して前部軸受３２と後部軸受３４とを介して回転自在に支持された筒軸３０ａの後端側外周部に設けられている。この筒軸３０ａの先端部には、ベール３６（一部のみを示す）および釣糸案内部（図示しない）を備えたロータ１６が回転部材として一体的に取り付けられ、ピニオンギヤ３０を介して筒軸３０ａと共に一体的に回転することができる。
【００１４】
このロータ１６の内側には、筒軸３０ａに回り止めされてナット１５で抜け止めされる内側筒部１６ａが設けられ、外側には一対の支持アーム１７ａ，１７ｂが設けられている。各支持アーム１７ａ，１７ｂの前端部には、通常のベール３６および釣糸案内部を先端部に取付けた支持部材３７ａ，３７ｂが、それぞれの基端部を介して回動自在に支持される。これらの支持部材３７ａ，３７ｂは、支持アーム１７ａ，１７ｂの一方に配置された通常の振り分け機構により、釣糸巻取位置と釣糸放出位置との一方に保持され、他方に向けて反転させることができる。また、支持アーム１７ａ，１６ｂの他方には、ハンドル２６の巻取操作に連動して支持部材３７ａ，３７ｂをベール３６と共に釣糸放出位置から釣糸巻取位置へ自動復帰させる反転復帰機構が配置されている。
【００１５】
なお、本実施形態では、ロータ１６の回転方向について、ロータ１６のベールおよび釣糸案内部を介してスプール１８に釣糸を巻回する方向の回転が正回転となり、これとは逆に、スプール１８から釣糸を繰出す方向の回転が逆回転となる。
【００１６】
このようなロータ１６を固定した筒軸３０ａ内には、スプール軸３８が貫通し、ハンドル軸２０と直交する方向に延在している。このスプール軸３８は、筒軸３０ａと同心的に配されており、筒軸３０ａおよびリール本体１２に対してハンドル軸２０と直交する方向に沿って前後動することができる。このスプール軸３８の先端部に、釣糸が巻回されるスプール１８が取り付けられる。
【００１７】
スプール軸３８を介してスプール１８を前後方向に往復動するスプール往復動装置２４は、ピニオンギヤ３０に噛合する作動歯車４０で回転駆動されるトラバースカム軸４２と、このトラバースカム軸４２の外面に形成された螺旋状のカム溝４２ａに係合する摺動体４４とを有し、この摺動体４４がスプール軸３８の後端に連結される。トラバースカム軸４２が回転すると、この螺旋状のカム溝４２ａに係合する摺動体４４が前後に往復動し、この摺動体４４に取り付けられたスプール軸３８が筒軸３０ａ内を軸方向に沿って往復駆動（前後動）する。なお、このようなスプール往復動装置２４は、上述のようなトラバースカム軸４２を用いたものに代え、ハンドル軸２８と一体回転する歯車に噛合して回転する大歯車を有するいわゆるギヤ方式のものであってもよい。
【００１８】
このように形成された魚釣用スピニングリール１０は、ハンドル２６を回転操作してハンドル軸２０を回転させると、スプール往復動装置２４の摺動体４４に取付けられたスプール軸３８を介してスプール１８が前後に往復動し、一方、巻取駆動装置２２の駆動歯車２８とピニオンギヤ３０と筒軸３０ａとを介して、ロータ１６が回転駆動される。スプール１８が前後に移動される間に、ベール３６で案内された釣糸が、このスプール１８上にほぼ均等に巻回される。
【００１９】
更に、リール本体１２の前筒部１２ｂ内には、ロータ１６の回転状態を、逆転防止状態と逆転可能状態とに切換える逆転防止装置４６が配置されている。本実施形態の逆転防止装置４６は、公知の一方向クラッチを備えており、この一方向クラッチはピニオンギヤ３０と一体の筒軸３０ａに回転不能に装着された内輪部材４８ａと、この内輪部材上に複数のローラ５０を介して支えられかつリール本体１２に回転不能に装着された外輪部材４８ｂとで形成されている。
【００２０】
これらのローラ５０は、保持器５２で保持され、内輪部材４８ａと外輪部材４８ｂとの間で、自由に回転できるフリー回転領域と、一方向にのみ回転できる規制領域とに移動される。ローラ５０がフリー回転領域に配置されると、ローラ５０が自由に回転できるため、内輪部材４８ａに連結されるロータ１６は外輪部材４８ｂが連結されたリール本体１２に対して釣糸巻取方向の正回転および釣糸繰出方向の逆回転の双方の方向に自由に回転することができる。また、ローラ５０が規制領域に配置された状態では、ローラ５０はロータ１６が正回転する方向にのみ回転することができ、ロータ１６が逆回転する方向への回転は阻止される。したがって、ローラ５０が規制領域に配置された状態では、回転部材であるロータ１６は逆転防止状態となり、フリー回転領域に配置された状態では、逆転可能状態となる。
【００２１】
更に、逆転防止装置４６は、ローラ５０を、フリー回転領域と規制領域との間で移動し、ロータ１６の回転状態を逆転可能状態と逆転防止状態とに切換えるため、操作杆５４がリール本体１２の収容空間Ａ内に前後方向に沿って延設してある。この操作杆５４は、先端部が、逆転防止装置４６の保持器５２に取付けられた作動部５２ａに連結され、後端部はリール本体１２の後壁に形成された短軸状の突部１２ｃを介して外部に突出し、この外部に突出した操作杆５４の後端部に、切換部材である切換レバー５６が回転不能に取付けられている。
【００２２】
本実施形態の操作杆５４は、略中間部でクランク状に屈曲した曲軸として形成され、前軸部５４ａが後軸部５４ｂに対して側方に突出する。後端部に取付けた切換レバー５６を回動操作すると、操作杆５４は、後軸部５４ｂの中心軸を中心として前軸部５４ａを回動させ、クランク状に屈曲した前軸部５４ａの先端部が揺動する。この前軸部５４ａに連結された作動部５２ａを介して保持器５２が回動される。これにより、逆転防止装置４６は、ロータ１６が正逆転可能な逆転可能状態と、正転可能でかつ逆転不能の逆転防止状態とに切換えられる。ロータ１６がいずれの状態にあっても、ハンドル１６を正転方向（釣糸をスプール１８に巻き取る方向の回転）に回転すると、図示しない公知の復帰機構を介して、釣糸放出位置にあるベール３６は、釣糸巻取位置に復帰することができる。
【００２３】
この操作杆５４は、リール本体１２の収容空間Ａ内に位置する後軸部５４ｂの一部に、この操作杆５４の回動位置を保持するために位置決め部５８を形成し、リール本体に保持される板バネ等の弾性体６０をこの位置決め部５８に圧接している。これにより、操作杆５４は、切換レバー５６を介して回動された位置である、ロータ１６を逆転可能状態とする逆転可能位置と逆転防止状態とする逆転防止位置との一方に保持することができる。すなわち、切換レバー５６が、ロータ１６を逆転防止状態とする逆転防止位置（図３の（Ａ）参照）とロータ１６を逆転可能状態とする逆転可能位置（図３の（Ｃ）参照）との一方に切換えられると、操作杆５４に形成した位置決め部５８と弾性体６０とが、これらの操作杆５４および切換レバー５６を逆転可能位置あるいは逆転防止位置に保持する。
【００２４】
図２および図３に拡大して示すように、ロータ１６の回転状態を切換える切換部材である切換レバー５６は、操作杆５４の後端部に回転不能でかつ軸方向に移動可能に装着されている。この切換レバー５６は、操作杆５４に装着される円筒状の本体部６２と、この本体部６２から半径方向外方に向けて肉厚を低減させつつ前傾状態で延びる板状の操作部６４とを有する。この本体部６２には、段付構造の通孔６６が前後方向に沿って形成してある。
【００２５】
この通孔６６には、例えば操作杆５４の後端部と同様な非円形の断面形状に形成されて、この操作杆５４の後端部に回転不能でかつ軸方向に移動可能に嵌合する装着部６６ａと、コイルバネ６８を収容する拡径部６６ｂとが前後に隣接させて形成されている。コイルバネ６８は、拡径部６６ｂ内で操作杆５４の後端部の周部を囲み、装着部６６ａと拡径部６６ｂとの間に形成される段部で一端が支えられ、他端は、操作杆５４の端面に止めねじ７０で固定されたリング状のリテーナ７２で支えられている。切換レバー５６は、これらのコイルバネ６８およびリテーナ７２により、操作杆５４から脱落するのが防止されると共に、リール本体１２に当接する位置と、リール本体１２から離隔する位置との間を移動することができる。切換レバー５６は、コイルバネ６８により、リール本体１２の突部１２ｃに当接する位置に常時付勢されている。
【００２６】
更に、この切換レバー５６には、逆転防止位置から逆転可能位置への切換動作を阻止する阻止手段を設けてある。本実施形態の阻止手段は、切換レバー５６の本体部６２の前端側で、通孔６６の軸線に対してほぼ垂直な端面６２ａから突出する係止爪７４で形成してある。図３の（Ｂ）に示すように、この係止爪７４は端面６２ａに対して傾斜した傾斜面７４ａと端面６２ａに対して垂直な係止面７４ｂとを有し、リール本体１２の突部１２ｃには、係止爪７４に対向して傾斜面７６ａと受面７６ｂとを有する受部７６を形成してある。
【００２７】
この係止爪７４は、図３の（Ａ）に示すように、切換レバー５６が逆転防止位置にあるときに、その係止面７４ｂを受部７６の受面７６ｂに係合し、切換レバー５６が図３の（Ｃ）に示す逆転可能位置に移動するのを阻止する。これにより、例えば釣り場を移動する際に、釣人の手、脚あるいは衣服等が切換レバー５６に触れても、この切換レバー５６が逆転可能位置に切換わることはなく、また、輸送時の振動や他の物体との接触等でこの切換レバー５６が逆転可能位置に回動することもない。
【００２８】
一方、ハンドル２６（図１参照）を正回転および逆回転させることにより、例えば釣糸繰出し長さの調整等を行う場合には、図３の（Ｂ）に示すように、後方に向けてコイルバネ６８の付勢力に抗して軸方向に切換レバー５６を移動し、係止面７４ｂと受面７６ｂとの係合を解除する。この図３の（Ｂ）に示す状態から切換レバー５６を回動して図３の（Ｃ）に示す逆転可能位置で離すと、コイルバネ６８の付勢力で切換レバー５６がリール本体１２の突部１２ｃ側に戻され、係止爪７４の傾斜面７４ａと受部７６の傾斜面７６ａとが当接する。この切換レバー５６に回り止めされた操作杆５４は、後軸部５４ｂの中心軸を中心として回動し、作動部５２ａおよび保持器５２を介して逆転防止装置４６のローラ５０をフリー回転領域に配置する。これにより、逆転防止装置４６は逆転可能状態となり、この状態でハンドル２６を回転すると、ハンドル２６の回転に対応してロータ１６が正回転あるいは逆回転し、釣糸を巻取あるいは繰出すことができる。
【００２９】
このように、切換レバー５６が逆転防止位置にあるときの阻止手段としての係止爪７４による切換阻止機能は、コイルバネ６８の付勢力に抗して切換レバー５６を軸方向に移動し、その後に回動する手動操作でのみ解除することができる。これは、釣人が明確な意思を持って切換レバー５６を逆転可能位置に切換えることを必要とし、偶発的に釣人の手、脚あるいは衣服等が触れた場合、あるいは、輸送時に振動を受けたり他の物体と接触した場合等では、この切換レバー５６が図３の（Ａ）に示す逆転不能位置から図３の（Ｃ）に示す逆転可能位置に切換わることはない。
【００３０】
これに対し、図３の（Ｃ）に示す逆転可能位置から図３の（Ａ）に示す逆転防止位置への移動は、操作部６４を操作し、係止爪７４の傾斜面７４ａを受部７６の傾斜面７６ａに沿って摺動させつつ切換レバー５６と操作杆５４とを中心軸を中心として、係止面７４ｂが受面７６ｂを超えるまで回動することにより、簡単に行うことができる。係止面７４ｂが受面７６ｂを超えると、コイルバネ６８で付勢された切換レバー５６は直ちに前方に移動し、係止面７４ｂと受面７６ｂとが係合する。傾斜面７４ａ，７６ａ同士の摺動を通じて、切換レバー５６を滑らかにかつ容易に回動させることができる。このように逆転可能位置から逆転防止位置に移動する場合は、係止爪７４は逆転阻止機能を作用させることはないが、切換レバー５６は、コイルバネ６８の付勢力に抗して係止爪７４を受部７６の傾斜面７６ａに沿って移動する必要があるため、釣人の意に反して切換レバー５６が逆転可能位置から逆転防止位置に切換ることはない。
【００３１】
したがって、本実施形態の魚釣用リール１０の逆転防止装置４６によると、ロータ１６を逆回転させて釣糸を繰出すためには、リール本体１２の突部１２ｃに係合して切換レバー５６の切換動作を阻止している阻止手段としての係止爪７４の切換阻止機能を、手動で解除する必要があり、これにより、ロータ１６およびハンドル２６が釣人の意に反して逆回転することが確実に防止され、逆回転が必要な場合にのみ、ロータ１６およびハンドル２６を逆転可能状態とすることができ、魚釣用リール１０の安全性と操作容易性とを確保することができる。
【００３２】
図４および図５は、両軸受型手巻きリールとして形成した魚釣用リール１０Ａの逆転防止装置８０を示す。  
この魚釣用リール１０Ａは、リール本体８２を形成する一対のフレーム８４（一方のみを示す）のそれぞれの外側に、例えばビス、螺合あるいは嵌合等の手段により、側板８６を一体的に取付け、回転部材であるスプール（図示しない）を装着したスプール軸８８の各端部を、これらの一対のフレーム８４に直接あるいは側板８６を介して装着した軸受（図示しない）で回転自在に支持している。この魚釣用リール１０Ａは、符号８５で示す取付脚部を介して釣竿に取付けられる。
【００３３】
スプール軸８８の一端側でフレーム８４と側板８６とで形成される収容空間Ｂ内には、横方向に延設されて回転可能に支持されたハンドル軸９０と、スプール軸８４を回転し、このスプール軸８４に取付けられたスプールに釣糸を巻回するための巻取駆動装置９２とが設けられている。このリール本体８２から突出したハンドル軸９０の端部に取付けられた図示しないハンドルを回転することにより、ハンドル軸９０に固定された駆動歯車９４が回転される。この駆動歯車と共に巻取駆動装置９２を形成するピニオン９６は、スプール軸８８と同軸状に配置されてこの駆動歯車９４と常時噛合しており、クラッチプレート９８により、スプール軸８６に嵌合して一体的に回転する位置と、スプール軸８６から分離してスプール軸８６を自由に回転可能とする位置との間を軸方向に移動することができる。
【００３４】
本実施形態の逆転防止装置８０は、ハンドル軸９０に回転不能に装着されたラチェット１００と、中間部が枢着ピン１０２を介してリール本体１２に回動自在に取付けられた爪部材１０４とを有し、この爪部材１０４の先端部がラチェット１００と噛合うことにより、駆動歯車９４及びピニオン９６を介して、スプールおよびスプール軸８８が釣糸巻取方向にのみ正回転することができ、釣糸繰出方向への逆回転が阻止される逆転防止状態となる。また、枢着ピン１０２を中心として爪部材１０４が反時計方向に回転すると、ラチェット１００は爪部材１０４の先端部との係合を解除され、駆動歯車９４及びピニオン９６を介してスプールおよびスプール軸８８が釣糸巻取方向の正回転および釣糸繰出方向の逆回転の双方の方向に自由に回転することができる逆転可能状態となる。
【００３５】
この逆転防止装置８０には、ラチェット１００を逆転防止状態と逆転可能状態との一方に切換えるため、この爪部材１０４の基端部から突出する操作部１０４ａに係合する切換スライダ１０６が切換部材として設けられている。  
図５の（Ａ）および（Ｂ）に拡大して示すように、切換スライダ１０６はリール本体８２に形成された長孔８２ａ内に抜け止めされた状態で収容空間Ｂ内に係止片１０８ａを突出させた本体部１０８と、この本体部と一体的に形成された板状の操作部１１０とを有する。本体部１０８は長孔８２ａの長辺方向寸法が、この長孔８２ａよりも短く、この長孔８２ａに沿って図５の（Ａ）に示す逆転防止位置と図５の（Ｂ）に示す逆転可能位置との間を摺動することができる。
【００３６】
切換スライダ１０６が逆転防止位置にあるときは、この本体部１０８の係止片１０８ａが爪部材１０４の操作部１０４ａに隣接配置され、したがって、爪部材１０４はその先端部をラチェット１００に係合させた状態に保持される。この切換スライダ１０６は、逆転防止位置から逆転可能位置に移動される際に、この操作部１０４ａに係合して爪部材１０４を反時計方向に回動する。これにより、爪部材１０４はラチェット１００との係合を解除し、係止ピン８３に係合する。逆に、切換スライダ１０６を逆転可能位置から逆転防止位置に移動すると、爪部材１０４は、係止片１０８ａとの係合が解除され、例えば図示しないバネの付勢力で時計方向に回転され、ラチェット１００に噛合する。なお、切換スライダ１０６の係止片１０８ａは、爪部材１０４の操作部１０４ａを収容する凹部を有してもよく、この場合には、操作部１０４ａを介して爪部材１０４を時計方向および反時計方向の双方の方向に回動することができるため、爪部材１０４を付勢するバネを省略することができる。
【００３７】
また、操作部１１０は、その逆転防止位置と逆転可能位置とのいずれの位置にあっても長孔１０８を覆い、長孔１０８内に異物が侵入するのを防止する大きさに形成してある。この操作部１１０の外面部は、長孔１０８の長辺方向に沿う中央部が盛上がった山形形状を有し、指をかけ易い形状に形成してある。この操作部１１０は、容易に操作することができるものであれば、凹面状あるいは平坦面状に形成してもよく、操作する指の滑り止めとして凹凸面を形成することが好ましい。
【００３８】
本実施形態の切換スライダ１０６に設けられた阻止手段は、図５の（Ａ）に示すように切換スライダ１０６が逆転防止位置にあるときに、リール本体８２の外側に突出して操作部１１０の移動を阻止する係止ピン１１２を有する。この係止ピン１１２は、先端を半球状に形成した拡径頭部１１２ａと、基端にフランジを形成したシャフト部１１２ｂとを有する。この係止ピン１１２は、長孔１１８の近部でリール本体８２に形成した筒部１１４内に収容され、このシャフト部１１２ｂの周部にコイルバネ１１４が配置される。この筒部１１４の収容空間Ｂ内に配置される内側端部の内周側は、シャフト部１１２ｂのフランジよりも小径の段部に形成してあり、コイルバネ１１４の一端がこの段部で支えられ、他端を介して係止ピン１１２の頭部１１２ａをリール本体８２から突出する方向に付勢する。係止ピン１１２の基端に形成したフランジは、この筒部１１４の内側端部に係合して係止ピン１１２がリール本体８２から抜出るのを防止する。
【００３９】
本実施形態の逆転防止装置８０においても、切換スライダ１０６が図５の（Ａ）に示す逆転防止位置に配置された状態では、この切換スライダ１０６の操作部１１０に係止ピン１１２の頭部１１２ａが係合しているため、係止ピン１１２の頭部１１２ａを押圧してリール本体８２内に押込まなければ、この切換スライダ１０６を移動することはできない。したがって、切換部材である切換スライダ１０６の逆転防止位置から逆転可能位置への切換えは、係止ピン１１２の切換阻止機能を手動で解除する必要があり、これにより、スプールおよびスプール軸８８が意に反して逆回転することが確実に防止され、逆回転が必要な場合にのみ、逆転可能状態とすることができ、魚釣用リール１０Ａの安全性と操作容易性とが確保される。
【００４０】
一方、逆転可能位置から逆転防止位置への切換えは、切換スライダ１０６を移動するだけで行うことができる。係止ピン１１２は、切換スライダ１０６の操作部１１０で覆われ、外部に露出していないため、操作を誤ることがなく、極めて容易に行うことができる。また、逆転防止位置に達すると、バネ付勢された係止ピン１１２がリール本体８２の外面に突出するため、このときの衝撃等により、切換わった状態を確実に感得することができる。
【００４１】
図６および図７は、更に他の実施形態による魚釣用リール１０Ａの逆転防止装置８０Ａを示す。基本的には図４および図５に示す実施形態と同様であるため、同様な部位には同様な符号を付し、その詳細な説明を省略する。
【００４２】
この実施形態では、爪部材１０４と一体に形成されて、この爪部材１０４の枢着ピン１０２を中心として揺動するシーソーボタンである切換ボタン１１６が切換部材を形成する。この切換ボタン１１６は、枢着ピン１０２を挟む位置に２つの押圧部１１６ａ，１１６ｂを有し、振分けバネ１１８により、一方の押圧部１１６ａがリール本体８２の外面から突出する図７の(Ａ）に示す逆転防止位置と、他方の押圧部１１６ｂが突出する図７の（Ｂ）に示す逆転可能位置との一方に配置された状態に保持される。切換ボタン１１６が図７の（Ａ）に示す逆転防止位置に配置された状態では、阻止手段である係止ピン１２０により、図７の（Ｂ）に示す逆転可能位置への切換動作が阻止される。
【００４３】
本実施形態の係止ピン１２０は、切換ボタン１１６の近部でリール本体８２の収容空間Ｂ内に枢着ピン１０２とほぼ直交させて形成された筒部１２２内に収容されるシャフト部１２０ａと、外部に突出するヘッド部１２０ｂとを有し、バネ１２４により切換ボタン１１６に向けて押圧されている。この係止ピン１２０に対向する切換ボタン１１６の端面は、滑らかな湾曲面に形成してあり、この湾曲面には、切換ボタン１１６が逆転防止位置にあるときにシャフト部１２０の先端部が嵌合する係合溝１１７が形成されている。
【００４４】
これにより、切換ボタン１２０が図７の（Ａ）に示す逆転防止位置に配置された状態では、この切換ボタン１２０の係合溝１１７に係止ピン１２０のシャフト部１２０ａが嵌合しているため、係止ピン１２０の頭部１２０ｂを押圧してシャフト部１２０ａを係合溝１１７から抜出さなければ、この切換スイッチ１１６を移動することはできない。したがって、切換部材である切換ボタン１２０の逆転防止位置から逆転可能位置への切換えは、係止ピン１２０の切換阻止機能を手動で解除する必要があり、これにより、スプールおよびスプール軸８８が意に反して逆回転することが確実に防止され、逆回転が必要な場合にのみ、逆転可能状態とすることができ、魚釣用リール１０Ａの安全性と操作容易性とが確保される。
【００４５】
一方、逆転可能位置から逆転防止位置への切換えは、切換ボタン１１６の押圧部１１６ｂをリール本体８２側に押圧するだけで行うことができる。係止ピン１２０は、切換ボタン１１６の押圧部１１６ａの端面に形成された滑らかな湾曲面に沿って摺動するため、極めて容易に行うことができる。また、逆転防止位置に達すると、バネ付勢された係止ピン１２０のシャフト部１２０ａが切換ボタン１１６の係合溝１１７嵌合するため、このときの衝撃等により、切換わった状態を確実に感得することができる。
【００４６】
以上、本発明の種々の実施形態について個々に説明してきたが、本発明はいずれか１つの実施形態に特定されるものではなく、様々に変更可能であり、各実施形態を適宜に組合わせることも可能である。
【図面の簡単な説明】
【００４７】
【図１】本発明の好ましい実施形態による逆転防止装置を備えた魚釣用リールの内部構造を示す説明図。
【図２】図１に示す逆転防止装置の切換部材の拡大説明図。
【図３】図２に示す切換部材の作動状態を示し、（Ａ)は逆転防止位置に配置した状態の説明図、（Ｂ）は切換中の作動を説明する図、（Ｃ）は逆転可能位置に配置した状態の説明図。
【図４】他の実施形態による逆転防止装置を備えた魚釣用リールの内部構造を示す説明図。
【図５】図４に示す逆転防止装置の切換部材の作動を示し、（Ａ）は逆転防止位置に配置した状態の説明図、（Ｂ）は逆転可能位置に配置した状態の説明図。
【図６】更に他の実施形態による逆転防止装置の切換部材を示す図４と同様な説明図。
【図７】図６に示す逆転防止装置の切換部材の作動を示す図５と同様な説明図。
【符号の説明】
【００４８】
１０，１０Ａ…魚釣用リール、１２，８２…リール本体、１６…ロータ、４６，８０，８０Ａ…逆転防止装置、５６…切換レバー（切換部材）、７４…係止爪（阻止手段）、１０６…切換スライダ（切換部材）、１１２，１２０…係止ピン（阻止手段）、１１６…切換ボタン（切換部材）。
【図１】
2007143418.tif 000003
【図２】
2007143418.tif 000004
【図３】
2007143418.tif 000005
【図４】
2007143418.tif 000006
【図５】
2007143418.tif 000007
【図６】
2007143418.tif 000008
【図７】
2007143418.tif 000009